(57)【要約】      （修正有）【課題】平面状シートからなるフェイスマスクにおいて、シート本体で覆いきれず隙間となってしまう部分に対しても顔全体を隙間なく保湿できるフェイスマスクを提供する。【解決手段】フェイスマスク１は、平面状のシート体からなり、シート体本体１０と、シート体本体１０の周縁部に分離可能に外方向に延出して設けられた切り離し部（第１の切り離し部２１ａ及び第２の切り離し部２１ｂ）と、切り離し部（第１の切り離し部２１ａ及び第２の切り離し部２１ｂ）とシート体本体１０との境界に設けられ、切り離し部（第１の切り離し部２１ａ及び第２の切り離し部２１ｂ）とシート体本体１０とを分離可能とする分離部（第１の分離部２２ａ及び第２の分離部２２ｂ）と、を有する。【選択図】図１
0003233538.tif 000002
【実用新案登録請求の範囲】
【請求項１】
平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有する、フェイスマスク。
【請求項２】
前記分離部はミシン目である、請求項１に記載のフェイスマスク。
【請求項３】
前記ミシン目において、繋がり部分が０．７ｍｍ以上２ｍｍ以下であり、切り込み部分が２ｍｍ以上３０ｍｍ以下である、請求項２に記載のフェイスマスク。
【請求項４】
前記切り離し部は、前記シート体本体を上下方向に４等分したときに、最も下側の１／４の領域の周縁部に設けられる、請求項１から３までのいずれか１項に記載のフェイスマスク。
【請求項５】
前記切り離し部の近傍であって、前記切り離し部よりも上側に位置する部分の前記周縁部から、前記シート体本体の略中心方向に向けて伸びるスリットを有する、請求項１から３のいずれか１項に記載のフェイスマスク。
【請求項６】
前記切り離し部は、複数であって、左右対称の位置に設けられている、請求項１から３までのいずれか１項に記載のフェイスマスク。
【請求項７】
前記切り離し部は、前記周縁部からの延出方向の長さが１０ｍｍ以上８０ｍｍ以下、前記シート体本体に接着する長さが２０ｍｍ以上１００ｍｍ以下である、請求項１から３までのいずれか１項に記載のフェイスマスク。
【請求項８】
前記シート体のシート素材の坪量が４０ｇ／ｍ２以上１１０ｇ／ｍ２以下である請求項１から３までのいずれか１項に記載のフェイスマスク。
【請求項９】
左右方向に２度折り曲げて上下方向に１度折り曲げた状態で、折り曲げ部分が呈する直線であって上下方向に最も長い直線を長辺として左右方向に最も長い直線を短辺として得られる長方形の内部に、前記切り離し部が配置される形状を呈する、請求項１から３までのいずれか１項に記載のフェイスマスク。
【請求項１０】
平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記分離部はミシン目であり、
前記ミシン目において、繋がり部分が０．７ｍｍ以上２ｍｍ以下であり、切り込み部分が２ｍｍ以上３０ｍｍ以下である、フェイスマスク。
【請求項１１】
平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記切り離し部は、前記周縁部からの延出方向の長さが１０ｍｍ以上８０ｍｍ以下、前記シート体本体に接着する長さが２０ｍｍ以上１００ｍｍ以下である、フェイスマスク。
【請求項１２】
平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記切り離し部は、前記シート体本体を上下方向に４等分したときに、最も下側の１／４の領域の周縁部に設けられており、かつ、前記周縁部からの延出方向の長さが１０ｍｍ以上８０ｍｍ以下、前記シート体本体に接着する長さが２０ｍｍ以上１００ｍｍ以下である、フェイスマスク。
【考案の詳細な説明】
【技術分野】
【０００１】
本考案は、フェイスマスクに関するものである。
【背景技術】
【０００２】
従来から、化粧液を含浸したフェイスシートを用いて、顔面を中心とした肌の手入れを行う商品が知られている。このようなフェイスシートについて、ユーザの利便性向上の観点から各種の技術が提案されている。例えば、シート体の上部周縁に左右対称に二つのつまみ部を設けるとともに、額上部領域のシート体が、左右双方のつまみ部以下のシート体の領域に垂れにくくした技術が提案されている（例えば特許文献１参照）。
また、立体フェイスマスクとして構成し、額部分や鼻梁部分に皺、弛み隙間ができないようにすることで、顔面の全面に万遍なく化粧液を行き亘らせるようにした技術が提案されている（例えば特許文献２参照）。
【先行技術文献】
【特許文献】
【０００３】
【特許文献１】特開２０１９−２５０４９号公報
【特許文献２】特開２０１３−１７１号公報
【考案の概要】
【考案が解決しようとする課題】
【０００４】
特許文献１に示すような従来の平面状シートからなるフェイスマスクは、目、鼻、口に対応する部分に切込み線や切り抜き孔が形成されているため、顔面を隙間なく覆うことが困難であり、部分的に十分な保湿効果が得られないという課題があった。また、特許文献２に示すような立体フェイスマスクでは、形状が複雑になり、製造工程が複雑になったりすることで価格が高くなってしまうことから、平面状シートからなるフェイスマスクに対するニーズが依然として高く、新たな技術が求められていた。
【０００５】
本考案はこの様な状況に鑑みなされたものであって、平面状シートからなるフェイスマスクにおいて、シート本体で覆いきれず隙間となってしまう部分に対しても顔全体を隙間なく保湿できる技術を提供することにある。 
【課題を解決するための手段】
【０００６】
本考案は、平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有する。
本考案は、平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記分離部はミシン目であり、
前記ミシン目において、繋がり部分が０．７ｍｍ以上２ｍｍ以下であり、切り込み部分が２ｍｍ以上３０ｍｍ以下である。
本考案は、平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記切り離し部は、前記周縁部からの延出方向の長さが１０ｍｍ以上８０ｍｍ以下、前記シート体本体に接着する長さが２０ｍｍ以上１００ｍｍ以下である。
本考案は、平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有し、
前記切り離し部は、前記シート体本体を上下方向に４等分したときに、最も下側の１／４の領域の周縁部に設けられており、かつ、前記周縁部からの延出方向の長さが１０ｍｍ以上８０ｍｍ以下、前記シート体本体に接着する長さが２０ｍｍ以上１００ｍｍ以下である。
【考案の効果】
【０００７】
本考案によれば、平面状シートからなるフェイスマスクにおいて、シート本体で覆いきれず隙間となってしまう部分に対しても顔全体を隙間なく保湿できる技術を提供できる。
【図面の簡単な説明】
【０００８】
【図１】実施形態に係る、フェイスマスクの平面図である。
【図２】実施形態に係る、図１の領域Ｓの拡大図である。
【図３】実施形態に係る、フェイスマスクを折りたたむ手順を示した図である。
【考案を実施するための形態】
【０００９】
＜フェイスマスク１の概要＞
以下、本考案の実施の形態について、図面を用いて説明する。
図１はフェイスマスク１の平面図である。本実施形態では便宜的に、図１において、紙面手前側がフェイスマスク１の表面であり、紙面裏側がフェイスマスク１の裏面である。裏面が使用者の顔面に接する。また、図中の矢印＋Ｙ方向が使用者の頭部側（上側）、図中の矢印−Ｙ方向が使用者の顎側（下側）として説明する。また、図中の矢印＋Ｘ方向がフェイスマスク１の右側（すなわち使用者の右側）、図中の矢印−Ｘ方向がフェイスマスク１の左側（すなわち使用者の左側）として説明する。表面及び裏面は便宜的に示すものであり、またフェイスマスク１を表裏については、反対に使用することもできる。
【００１０】
図１に示すように、フェイスマスク１は、平面状のシート体からなり、略円形のシート体本体１０と、シート体本体１０の周縁部分（外縁部分ともいう）から一体に延出する複数の凸部（第１の上部突出部１４ａ及び第２の上部突出部１４ｂ、第１の切り離し部２１ａ及び第２の切り離し部２１ｂ）とを有し、使用者の顔の全体を覆うように構成されている。
【００１１】
シート体のシート素材は、例えば、綿、キュプラ、レーヨン、パルプ、ポリエチレン、ポリエチレンテレフタレート、ボリビニルアルコール等の不織布であって、その坪量（平均坪量）が４０ｇ／ｍ２以上１１０ｇ／ｍ２以下である。坪量の下限は好ましくは５０ｇ／ｍ２以上であり、好ましくは６０ｇ／ｍ２以上である。上限は、好ましくは１００ｇ／ｍ２以下であり、より好ましくは９０ｇ／ｍ２以下である。平均坪量は、ＪＩＳ  Ｌ  １９１３に準拠し、シート素材を一定面積の寸法に切り出してその質量（ｇ）を測定し、これを１ｍ２の質量に換算して求めることができる。
【００１２】
シート体（シート体本体１０及び凸部）には、化粧水等の化粧液（水分を主成分として美容成分が含まれる液）が含浸されている。化粧水としては、例えば、グリセリン、水、１、３−ブチレングリコール、ジプロピレングリコール等のポリオール類、ヒアルロン酸等のムコ多糖類、炭化水素油、エステル油、シリコーン油、セラミド類、高級アルコールなどの油剤、アミノ酸、エキス、高分子などを含有することができる。
【００１３】
＜シート体本体１０＞
シート体本体１０は、上述のように、外形が略円形（または略楕円）であって、縦軸９９（中心軸）を基準に左右対称の形状を有する。シート体本体１０の高さＬは、例えば１９０〜２３０ｍｍ（図示では２１６ｍｍ）である。シート体本体１０の幅は例えば１９０〜２３０ｍｍ（図示では２１６ｍｍ）である。
【００１４】
シート体本体１０には、第１の瞼部１１ａ及び第２の瞼部１１ｂ、鼻部１２、口部１３が切り込み又は開口によって設けられている。また、シート体本体１０には、側縁部分からシート体本体１０の中央側に向かって、複数のスリット（第１の頬スリット１５ａ及び第２の頬スリット１５ｂ、第１の頬上部スリット１６ａ及び第２の頬上部スリット１６ｂ、顎スリット１７）が所定長に形成されている。これら構成によって、使用者によって様々に異なる形状の顔面に容易に密着することができる。以下、各構成を具体的に説明する。
【００１５】
＜第１の瞼部１１ａ及び第２の瞼部１１ｂについて＞
シート体本体１０の上下方向中央より上側の領域には、使用者の左右の瞼を覆う第１の瞼部１１ａ及び第２の瞼部１１ｂが形成されている。
【００１６】
第１の瞼部１１ａ及び第２の瞼部１１ｂは、左右対称の位置、形状に形成されており、それぞれ、上側において連続しており下側が円弧状の切れ込みによって形成されている。円弧状は、例えば楕円（短辺２１、長辺４５ｍｍ）の一部である。第１の瞼部１１ａと第２の瞼部１１ｂの間隔は例えば２２ｍｍである。
【００１７】
このような構成により使用者の目（瞼）の形状・大きさに追従して、第１の瞼部１１ａ及び第２の瞼部１１ｂそれぞれが使用者の目（瞼）に密着することができる。
【００１８】
＜鼻部１２について＞
シート体本体１０の略中央には、使用者の鼻に接する鼻部１２が切れ込みによって形成されている。鼻部１２は、上辺が連続しており他の辺が切り込みとなった略台形形状に形成されている。具体的には、鼻部１２の幅（すなわち台形の下辺に相当する長さ）は例えば５５ｍｍである。鼻部１２の上辺に相当する位置の長さは、例えば３６ｍｍである。鼻部１２の高さは例えば２７ｍｍである。鼻部１２の上述の構成によって、フェイスマスク１が使用者の顔に装着され、鼻部１２が使用者の鼻に接すると、使用者の鼻の凹凸形状に追従して密着することができる。
【００１９】
＜口部１３の構成について＞
シート体本体１０には、左右方向略中央であって鼻部１２の下側の領域において、使用者の口の部分に対応する口部１３が横長の楕円形状の開口として形成されている。この楕円形状は、例えば短辺２１ｍｍ、長辺５１ｍｍである。
【００２０】
＜顎スリット１７について＞
シート体本体１０の下側中央の周縁部分から縦方向（＋Ｙ方向）に口部１３に向かって延びる切れ込みである顎スリット１７が形成されている。顎スリット１７の長さは例えば３０ｍｍである。顎スリット１７によれば、使用者の顎の形状に沿って顎の周辺の密着状態を確保することができる。
【００２１】
＜第１の頬スリット１５ａ、第２の頬スリット１５ｂについて＞
シート体本体１０の周縁部分右側および左側であって口部１３の横方向の位置（使用者の頬に対応する位置）から、それぞれ斜め上方に延びる切り込みとして、第１の頬スリット１５ａ及び第２の頬スリット１５ｂが形成されている。
【００２２】
具体的には、第１の頬スリット１５ａは、周縁部分の右側（図示では左側）であって、下から概ね高さＬ／４の位置から右斜め上方向（例えば水平に対して角度３９°）に所定長（例えば３７ｍｍ）だけ形成されている。同様に、第２の頬スリット１５ｂは、周縁部分の左側（図示では右側）であって、下から概ね高さＬ／４の位置から左斜め上方向（例えば水平に対して角度３９°）に所定長（例えば３７ｍｍ）だけ形成されている。
【００２３】
なお、第１の頬スリット１５ａと周縁部分の間及び第２の頬スリット１５ｂと周縁部分との間には、それぞれ所定長（例えば１ｍｍ）の繋がり部が形成されている。すなわち、これらの部分でシート体本体１０の周縁部分は繋がっており、使用者が必要に応じて分離させることができ、使用者の頬の形状に追従させてフェイスマスク１を密着させることができる。
【００２４】
＜第１の頬上部スリット１６ａ及び第２の頬上部スリット１６ｂについて＞
シート体本体１０の側縁部分右側および左側であって高さ方向において鼻部１２より若干上側の位置（使用者の頬骨に対応する位置）から、それぞれ斜め下方（水平に対して角度２２°）に延びる切り込みとして、第１の頬上部スリット１６ａ及び第２の頬上部スリット１６ｂが形成されている。第１の頬上部スリット１６ａ及び第２の頬上部スリット１６ｂの長さはそれぞれ１７ｍｍである。なお、第１の頬上部スリット１６ａ及び第２の頬上部スリット１６ｂは、上述の第１の頬スリット１５ａ及び第２の頬スリット１５ｂと異なり、周縁部分においても切り込みが形成されている。すなわち、繋がり部分を有していない。
【００２５】
＜第１の上部突出部１４ａ及び第２の上部突出部１４ｂについて＞
上述した第１の頬上部スリット１６ａ及び第２の頬上部スリット１６ｂより上側の周縁部分から右側の第１の上部突出部１４ａと左側の第２の上部突出部１４ｂが延出して形成されている。第１の上部突出部１４ａと左側の第２の上部突出部１４ｂとは左右対称ではなく、上下方向（Ｙ方向）の位置について、第２の上部突出部１４ｂが第１の上部突出部１４ａより上側に位置している。第１の頬上部スリット１６ａ及び第２の頬上部スリット１６ｂは、例えば、直径１０ｍｍの略半円形状である。
【００２６】
＜第１の切り離し部２１ａ及び第２の切り離し部２１ｂについて＞
上述した第１の頬スリット１５ａ及び第２の頬スリット１５ｂより下側の周縁部分から右側の第１の切り離し部２１ａと左側の第２の切り離し部２１ｂが、上述のようにシート体本体１０の下部の顎付近において、延出して形成されている。具体的には、第１の切り離し部２１ａ及び第２の頬スリット１５ｂは、シート体本体１０を上下方向（Ｙ方向）に４等分したときに、最も下側の１／４の領域の周縁部に設けられている。より具体的には、縦軸９９（顎スリット１７）を基準として、所定角度θ開いた位置に、第１の切り離し部２１ａと左側の第２の切り離し部２１ｂの長辺の中心（すなわち第１の分離部２２ａ、第２の分離部２２ｂの中心）が位置するように形成されている。所定角度θはここでは４２°である。
【００２７】
第１の切り離し部２１ａ及び第２の切り離し部２１ｂが、上述のようにシート体本体１０の下部の顎付近に設けることで、フェイスマスク１を顔面に装着した状態で視認せずに手探りで第１の切り離し部２１ａを探しやすく、また、切り取りやすい。一方、上記範囲より上側（＋Ｙ方向）に設けた場合には、使用時に第１の切り離し部２１ａや第２の切り離し部２１ｂが使用者の耳に当たる虞がでる。また、耳の部分より上側（額部）だと髪の毛についてしまい邪魔になってしまう。しかし、本実施形態のフェイスマスク１によれば、そのような懸念はない。
【００２８】
なお、第１の切り離し部２１ａと第２の切り離し部２１ｂとは左右対称に設けられている。また、第１の切り離し部２１ａと第２の切り離し部２１ｂはそれぞれ、ミシン目の第１の分離部２２ａと第２の分離部２２ｂとによってシート体本体１０から分離可能になっている。シート体本体１０から切り離した第１の切り離し部２１ａや第２の切り離し部２１ｂは、使用者が好きな場所、例えば、鼻部１２の切り込み部分のようにシート素材が貼られていない部分（すなわち肌が露出している部分等）に重ねて貼りつける。
【００２９】
図２を参照して、第１の切り離し部２１ａを詳細に説明する。図２は、図１の領域Ｓ（第１の切り離し部２１ａ及びその近傍）を拡大した図である。なお、第２の切り離し部２１ｂは、第１の切り離し部２１ａと左右対称とする以外の形状は同一であり同一の作用・効果を奏することから説明を省略する。
【００３０】
第１の切り離し部２１ａは、略矩形形状を有している。矩形形状の突出端が円弧状であったり、両角がラウンド形状（またはテーパ形状）であったりする。一方、突出根元分の両角もスソを引いたラウンド形状（またはテーパ形状）となっている。
【００３１】
図示のように、第１の切り離し部２１ａの周縁部分からの延出方向の長さＡ、すなわちミシン目の第１の分離部２２ａからの矩形形状の短手長さは、例えば、１０ｍｍ以上８０ｍｍ以下である。上記長さＡの下限は、好ましくは１５ｍｍ以上、より好ましくは２０ｍｍ以上である。上限は、好ましくは６０ｍｍ以下、より好ましくは４０ｍｍ以下である。
【００３２】
第１の切り離し部２１ａのシート体本体１０との境界部分の長さＢ（シート体本体１０に接着する長さ）、すなわち、ミシン目として構成されている第１の分離部２２ａの長さは、２０ｍｍ以上１００ｍｍ以下である。上記長さＢの下限は、好ましくは３０ｍｍ以上、より好ましくは４０ｍｍ以上である。上限は、好ましくは８０ｍｍ以下、より好ましくは７０ｍｍ以下である。
【００３３】
このような範囲とすることで、使用者は、フェイスマスク１を顔面に装着した状態で視認せずに手探りで第１の切り離し部２１ａを探しやすく、切り取り時に掴みやすい。また、シート体本体１０が第１の切り離し部２１ａに対して十分に大きいため、顔面にシート体本体１０を装着した状態で切り離しても、顔面からシート体本体１０がずれることなく、第１の切り離し部２１ａを自然に切り離すことができる。また、切り離した第１の切り離し部２１ａを、シート素材が貼られていない部分（すなわち肌が露出している部分等）に重ねて貼りつける際に、第１の瞼部１１ａ及び第２の瞼部１１ｂ、鼻部１２、口部１３等の切り込み部分で肌に密着していない部分や露出している部分に重ねて貼りつける際に、適切な寸法である。すなわち、第１の切り離し部２１ａが小さすぎると、隙間を埋められない。大きすぎると、切り離さないで使う時に邪魔になったり、化粧液の液ダレの原因になったり、フェイスマスク１を貼った時に目や鼻にかかってしまい邪魔になったり、はがれやすくなったりする。
【００３４】
なお、第１の切り離し部２１ａは、図１に示すように、その形成位置から上方向（＋Ｙ方向）に真っ直ぐ進んだ位置に第１の瞼部１１ａ（その右側端部であり目尻部分に相当）が形成されている。したがって、使用者が顔面にフェイスマスク１を貼りつけた状態で、第１の瞼部１１ａを目印として、第１の切り離し部２１ａを探し易い。
【００３５】
また、第１の切り離し部２１ａの近傍には、第１の頬スリット１５ａが形成されている。したがって、第１の頬スリット１５ａを目印としても第１の切り離し部２１ａを探し易い。
【００３６】
本実施形態では、左右対称の二つの切り離し部（第１の切り離し部２１ａ及び第２の切り離し部２１ｂ）を有する形態を例示したが、切り離し部は一つでもよいし、３つ以上であってもよい。その場合、上述の位置や形状であることが望ましい。なお、切り離し部（第１の切り離し部２１ａ及び第２の切り離し部２１ｂ）としては、シート体本体１０で覆いきれず隙間となってしまう部分が、例えば、瞼の部分が２つあり、また、鼻の小鼻部分が左右合わせて２つあるので２つ以上が好ましい。
【００３７】
＜分離部２２について＞
つづいて、図２を参照して第１の分離部２２ａについて説明する。第２の分離部２２ｂについても、第１の分離部２２ａと左右対称の形状であり同一の作用効果を奏するものであることから説明は省略する。上述のように、第１の分離部２２ａは、直線状のミシン目として構成されている。すなわち、分離部２２は、切り込み部分２４と繋がり部分２５とが交互に並んで設けられている。本実施形態では、図示のように、切り離し部２１の両端に、微少長さの切り込み部分２４ａ、２４ｂが設けられ、繋がり部分２５、切り込み部分２４と続いている。
【００３８】
繋がり部分２５の長さは、例えば、０．７ｍｍ以上２ｍｍ以下である。下限は、好ましくは０．８ｍｍ以上、より好ましくは０．９ｍｍ以上である。上限は、好ましくは１．８ｍｍ以下、より好ましくは１．５ｍｍ以下である。
【００３９】
切り込み部分２４の長さは、例えば２ｍｍ以上３０ｍｍ以下である。下限は、好ましくは３ｍｍ以上、より好ましくは４ｍｍ以上である。上限は、好ましくは２５ｍｍ以下、より好ましくは１５ｍｍ以下である。
【００４０】
図示の例では、繋がり部分２５が１ｍｍ、切り込み部分２４は１０ｍｍであって、４つの切り込み部分２４と５つの繋がり部分２５が交互に直線状に並んで設けられている。
【００４１】
切り込み部分２４及び繋がり部分２５を上記範囲とすることで、切り取りと強度の両立が可能となる。具体的には、繋がり部分２５が長すぎると、第１の分離部２２ａをシート体本体１０から切り離しにくく、また、毛羽立ちが目立ちやすいという課題がある。一方、切り込み部分２４が長すぎると、第１の分離部２２ａをシート体本体１０から切り離し易いが、強度が低下してしまう。つまり、切り離し部２１を切り離す意図が無い場合であっても、切り離し部２１を操作しただけで分離してしまう虞がでてくる。しかし、本実施形態では、そのような課題・懸念を払拭できる。
【００４２】
また、上述したように、第１の切り離し部２１ａの近傍には第１の頬スリット１５ａが形成され、その周縁部分は繋がり部分となっている。したがって、第１の切り離し部２１ａの切り込み部分２４と繋がり部分２５とを上述のように設けることで、第１の切り離し部２１ａを摘まんで切り離す操作をしたときに、第１の頬スリット１５ａの繋がり部分を意図せず分離させてしまうこともない。
【００４３】
なお、本実施形態では、第１の分離部２２ａ及び第２の分離部２２ｂをミシン目として説明したが、それ以外の例えば左右からスリットを入れて中央部分で繋がっているような形態やＶカット状の形態が用いられてもよい。
【００４４】
＜フェイスマスク１の折りたたみ＞
図３を参照して、フェイスマスク１を折りたたみ所定の個装用袋に収容する手順および取り出して開く手順を説明する。
【００４５】
図３（ａ）に、フェイスマスク１が平面状に開いた状態、すなわち折り曲げられていない状態を示す。図１に示したフェイスマスク１の状態ともいえる。この状態のフェイスマスク１のシート体本体１０の左右中心すなわち縦軸９９（中心軸）を第１折曲線９１として山折りに折り曲げる。
その結果、図３（ｂ）に示す状態のフェイスマスク１となる。第１折曲線９１で折り曲がっている直線部分を第１折り曲げ部８１という。図示のように、折り曲げられたシート体本体１０の周縁部分は、第１の上部突出部１４ａと第２の上部突出部１４ｂを除いて一致する。また、第１の切り離し部２１ａと第２の分離部２２ｂとが重なり第１の切り離し部２１ａが第２の切り離し部２１ｂに隠れる。第１の上部突出部１４ａと第２の上部突出部１４ｂは、図３（ａ）に示すように左右対称の位置に設けられておらず、折り曲げた状態で、第１の上部突出部１４ａは第２の上部突出部１４ｂに隠れず、第２の上部突出部１４ｂの右下側に表れた状態となる。
【００４６】
つぎに、図３（ｂ）のフェイスマスク１の左右中心を第２折曲線９２として、さらにフェイスマスク１を谷折りに折り曲げる。すなわち、第１折り曲げ部８１をシート体本体１０の最右側端と一致させるように折り曲げる。第２折曲線９２で折り曲がっている直線部分を第２折り曲げ部８２という。第２折曲線９２（すなわち第２折り曲げ部８２）は、第２の切り離し部２１ｂの左側端部（第２の分離部２２ｂの左側端部）の近傍部分や第２の瞼部１１ｂの図示右側端部を通るように設定される。
その結果、図３（ｃ）に示す状態のフェイスマスク１となる。具体的には、図３（ｂ）のフェイスマスク１の第２折曲線９２の左側部分が右側部分を覆った状態となる。このとき、図示左下に示すように、シート体本体１０の周縁部分から第２の切り離し部２１ｂの一部が外方向に僅かに露出している。また、口部１３の開口から第２の頬スリット１５ｂが設けられた領域近傍が露出している。
【００４７】
つぎに、図３（ｃ）のフェイスマスク１の上下中心を第３折曲線９３として、さらにフェイスマスク１を谷折りに折り曲げる。第３折曲線９３で折り曲がっている直線部分を第３折り曲げ部８３という。第３折曲線９３（すなわち第３折り曲げ部８３）は、丁度、鼻部１２の切り込み上部近くになるように設定される。
その結果、図３（ｄ）に示す状態のフェイスマスク１となる。具体的には、図３（ｃ）のフェイスマスク１の第３折曲線９３の下側部分が上側部分を覆った略長方形の状態となる。この状態で、フェイスマスク１が所定の個装用袋に収容され、市場等で販売される。
このように、フェイスマスク１を左右方向に２度均等折り（すなわち四つ折り）した、上下方向に１度均等折り（すなわち二つ折り）したときに、フェイスマスク１は上下方向が長手方向となる略長方形の形状となる。すなわち、幅方向に２度均等に折り曲げられ高さ方向に１度均等に折り曲げられた状態のフェイスマスク１は、長方形８０の内部に配置される形状を呈する。換言すると、折り曲げられた状態のフェイスマスク１において、切り離し部２１（第１の切り離し部２１ａ、第２の切り離し部２１ｂ）や上部突出部１４（第１の上部突出部１４ａ、第２の上部突出部１４ｂ）が上記の長方形８０より外側にはみ出る部分がない。このため、個装用袋に収容したときにまとまりがよく、すなわち包装しやすく、また使用時に取り出しやすい。なおここでは、長方形８０は、長辺を第１折り曲げ部８１、短辺を第３折り曲げ部８３としたときに得られる形状である。
【００４８】
フェイスマスク１を使用する場合は、ユーザは、上記の折りたたみの反対の手順で、折りたたまれているフェイスマスク１を開いて使用する。
すなわち図３（ｄ）の状態のフェイスマスク１を所定の包装用の袋から取り出し、第３折り曲げ部８３で上下に開いて図３（ｃ）の状態のフェイスマスク１を得る。フェイスマスク１を上下に開くときに、図３（ｄ）に示すように、上側部分（表側部分）において、重なっている第１の切り離し部２１ａと第２の切り離し部２１ｂが、下側となっているシート体本体１０の周縁部分より僅か突出しているため、この部分を指で摘まんで開きやすい。
【００４９】
つづいて図３（ｃ）の状態のフェイスマスク１の第２折り曲げ部８２で左右に開いて図３（ｂ）のフェイスマスク１を得る。このとき、口部１３における開口部分が輪郭において凹状に凹んで下側の第２の頬スリット１５ｂ近傍を露出させている。この部分を摘まんで操作することで、折りたたまれて上側になっている部分と下側になっている部分とを分離させやすい。
【００５０】
つぎに図３（ｂ）の状態のフェイスマスク１の第１折り曲げ部８１で左右に開いて図３（ａ）のフェイスマスク１を得る。このとき、上側の第２の上部突出部１４ｂと下側の第１の上部突出部１４ａが重ならずズレていることから、これらの部位を操作することで、上側になっている部分と下側になっている部分とを分離させやすい。
【００５１】
このように、包装用の袋から取り出されて使用される際に、折りたたんだ状態から開く際に、折り曲げられている各状態においてフェイスマスク１の周縁部分の一部が上側の部分と下側の部分とが完全に一致せずにズレていたり一部が露出していたりすることから、フェイスマスク１を開く操作が行いやすい。その結果、フェイスマスク１を図３（ａ）の状態まで開く途中において、フェイスマスク１を破損させたり一部が不適切に重なってしまったりすることを防止でき、綺麗に開くことができる。特に、フェイスマスク１には化粧液が含浸されていることから、折り曲がった状態から開くことに手間取ることもあるが、本実施形態のフェイスマスク１ではそのような手間を抑え素早く広げることができる。
【００５２】
本実施形態の特徴をまとめると次の通りである。
（１）本実施形態の一態様は、平面状のシート体からなるフェイスマスクであって、
シート体本体と、
前記シート体本体の周縁部に、分離可能に外方向に延出して設けられた切り離し部と、
前記切り離し部と前記シート体本体との境界に設けられ、前記切り離し部と前記シート体本体とを分離可能とする分離部と、
を有する。
このような態様とすることで、切り離し部を簡単に分離させて使用することができる。すなわち、フェイスマスクの使用者は切り離し部をちぎって所望の場所に貼るだけで容易に顔全体を隙間なく保湿できる。また、使用者が切り離し部を不要とすれば、分離させずそのまま使用すればよい。また、平面状のシート体を顔面に貼ったときに、立体型フェイスマスクと比較して顔面の凹凸形状に起因して隙間が生じてしまうことが多いが、その隙間部分を切り離し部で覆えるので、立体型フェイスマスクのような複雑な形状が不要となる。したがって、仕様性の向上（すなわち様々な仕様に対応が容易）や生産性の向上が実現できる。
また、使用者に提供される際に、一つのフェイスマスク１が一つ要素（パーツ）の構成となっているので、複数パーツに分けて袋等に入れて提供する場合と比較して、使用者にとって探し難かったり管理（保管場所等）に困ったりすることもない。
（２）前記分離部はミシン目であってもよい。
これによって、切り離し部とシート体本体との分離強度と切り取りやすさのバランスを取ることが容易になる。
（３）前記ミシン目において、繋がり部分が０．７ｍｍ以上２ｍｍ以下であり、切り込み部分が２ｍｍ以上３０ｍｍ以下であってもよい。
これによって、切り離し部とシート体本体との分離強度と切り取りやすさのバランスを好適に実現できる。
（４）前記切り離し部は、前記シート体本体を上下方向に４等分したときに、最も下側の１／４の領域の周縁部に設けられてもよい。
これによって、使用者は、切り離し部を探しやすく、また、分離する際に操作しやすい。
（５）前記切り離し部の近傍であって、前記切り離し部よりも上側に位置する部分の前記周縁部から、前記シート体本体の略中心方向に向けて伸びるスリットを有してもよい。
これによって、使用者は、前記切り離し部を摘まむときにスリットを触ることで探しやすい。
（６）前記切り離し部は、複数であって、左右対称の位置に設けられてもよい。
切り離し部を簡単に分離させる際に利便性が向上する。例えば、分離した切り離し部を貼りつける場所（肌が露出しているような場所）の大きさや形状に応じて、所望の切り離し部を切り離して使用できる。
（７）前記切り離し部は、前記周縁部からの延出方向の長さ（Ａ）が１０ｍｍ以上８０ｍｍ以下、前記シート体本体に接着する長さ（Ｂ）が２０ｍｍ以上１００ｍｍ以下であってよい。
これによって隙間埋め性能や剥がれにくさ、使用性のバランスを取ることができる。
（８）前記シート体のシート素材の坪量が４０ｇ／ｍ２以上１１０ｇ／ｍ２以下であってもよい。
これによって、フェイスマスクに含浸する化粧液の量、切り離し部の強度等のバランスをとることができる。
（９）左右方向に２度折り曲げて上下方向に１度折り曲げた状態で、折り曲げ部分が呈する直線であって上下方向の直線で最も長い直線を長辺として左右方向で最も長い直線を短辺として得られる長方形の内部に、前記切り離し部が配置される形状を呈してもよい。
これによって、フェイスマスク１は、個装用袋に収容したときにまとまりがよく、使用時に個装用袋から取り出しやすい。
【００５３】
以上、図面を参照して本考案の実施形態について述べたが、これらは本考案の例示であり、上記以外の様々な構成（変形例）を採用することもできる。
【実施例】
【００５４】
以下、本考案について実施例を参照して詳細に説明するが、本考案は、これらの実施例の記載に何ら限定されるものではない。
【００５５】
表１に、切り離し部（第１の切り離し部２１ａ及び第２の切り離し部２１ｂ）の隙間埋め機能、剥がれにくさ及び使用性について、複数の寸法（図２の長さＡ、Ｂ）の違いによる評価をした結果（実施例１−７）を示す。
（評価方法）
（１）隙間埋め
専門評価者１名が、フェイスマスク１を顔に付けた後、シート体本体１０から第１の切り離し部２１ａ、第２の切り離し部２１ｂを切り取り、第１の切り離し部２１ａ、第２の切り離し部２１ｂを鼻の左右の小鼻の隙間部分に付け、その付けやすさを評価した。
（２）剥がれにくさ
専門評価者１名が、フェイスマスク１を顔に付けた後、シート体本体１０から第１の切り離し部２１ａ、第２の切り離し部２１ｂを切り取り、第１の切り離し部２１ａ、第２の切り離し部２１ｂを鼻の左右の小鼻の隙間部分に付け、付けた第１の切り離し部２１ａ、第２の切り離し部２１ｂの５分後の剥がれにくさについて評価した。
（３）使用性
専門評価者１名が、フェイスマスク１を顔に付けた後、シート体本体１０から第１の切り離し部２１ａ、第２の切り離し部２１ｂを切り取らない状態において、第１の切り離し部２１ａ、第２の切り離し部２１ｂが首に触れた時に邪魔に感じないかを評価した。
【００５６】
実施例１の寸法は次の通りである。
長さＡ（切り離し部の延出方向の長さ）：１０ｍｍ、１５ｍｍ、２２ｍｍ、４０ｍｍ、６０ｍｍ、８０ｍｍ
長さＢ（本体に接着する長さ（分離部の長さ））：３０ｍｍ、４５ｍｍ、５０ｍｍ、７０ｍｍ、１００ｍｍ
評価結果は、４段階としており、良い方から順に「４」「３」「２」「１」として示している。
【００５７】
実施例１、２では、隙間埋め機能及び剥がれにくさは良好であった。ただし、使用性（邪魔になりやすいか）について、やや劣った。
実施例３、４では、隙間埋め機能が非常に良い評価であり、剥がれにくさ及び使用性についても特に問題となる評価はなかった。
実施例５、６では、延出方向の長さＡが短いことから、細い形状となっており、隙間埋め機能の点で、やや劣った。
実施例７では他の実施例と比較して形状が小さいことから、被験者によっては、隙間埋め機能について、やや劣った。ただし、剥がれにくさや使用性の観点では、良い評価であったことから、顔の大きさが小さい使用者を対象とした場合には、実施例の７の寸法は適正な範囲である。
【表１】
0003233538.tif 000003
【００５８】
表２に、分離部（第１の分離部２２ａ及び第２の分離部２２ｂ）の切り取りやすさと強度について、複数の寸法（切り込み部分と繋がり部分の長さの）の違いによる評価をした結果（実施例１１−１６）を示す。
（評価方法）
（４）切り取り易さ
専門評価者１名が、フェイスマスク１を顔に付けた後、シート体本体１０から切り第１の離し部２１ａ、第２の切り離し部２１ｂを切り取った際に、軽い力で自然に切り取れるかを評価した。
（５）強度
専門評価者１名が、包装用の袋に入ったフェイスマスク１を、包装用の袋から取り出し、その際に、第１の切り離し部２１ａまたは第２の切り離し部２１ｂを掴んで取り出し、第１の切り離し部２１ａまたは第２の切り離し部２１ｂの分離部（第１の分離部２２ａ及び第２の分離部２２ｂ）の切れ具合を評価した。評価結果は袋から取り出した際に、「分離部（第１の分離部２２ａ及び第２の分離部２２ｂ）が全く切れない」場合を良いとした。
【００５９】
実施例２の寸法は次の通りである。
繋がり部：１ｍｍ、２ｍｍ
切り込み：２ｍｍ、５ｍｍ、１０ｍｍ、１５ｍｍ、２５ｍｍ
評価結果は３段階で行い、良い方から順に「３」「２」「１」とした。なお、表２中（実施例１１〜１６）では、評価「１」はなかった。
【００６０】
まず、実施例１１及び１２を参照して、繋がり部の違いによる評価結果について説明する。切り込みが同じ１０ｍｍであるが、つながり部が１ｍｍ（実施例１１）と２ｍｍ（実施例１２）となっている。繋がり部が２ｍｍの実施例１２では、適切な範囲ではあるが若干切り取りにくいと感じた。
【００６１】
つづいて、実施例１１、１３〜１６を参照して、繋がり部を１ｍｍとして切り込みの長さを変えたときの評価結果について簡単に説明する。
実施例１１、１４、１５では、切り取りやすさ及び強度のいずれも好適であった。
実施例１３では、つながり部が１ｍｍ、切り込みが２ｍｍとなっており、切り込みが短すぎ強度が強くなって、適切な範囲ではあるが若干切り取りにくいと感じた。
実施例１６では、切り込みの長さが２５ｍｍと最も長いことから、強度の点で適正な範囲ではあるものの強度が若干弱いと感じた。
【表２】
0003233538.tif 000004
【００６２】
この出願は、２０２０年６月４日に出願された日本出願特願２０２０−９７４４９号を基礎とする優先権を主張し、その開示の全てをここに取り込む。
【符号の説明】
【００６３】
１  フェイスマスク
１０  シート体本体
１１ａ  第１の瞼部
１１ｂ  第２の瞼部
１２  鼻部
１３  口部
１４ａ  第１の上部突出部
１４ｂ  第２の上部突出部
１５ａ  第１の頬スリット
１５ｂ  第２の頬スリット
１６ａ  第１の頬上部スリット
１６ｂ  第２の頬上部スリット
２１ａ  第１の切り離し部
２１ｂ  第２の切り離し部
２２ａ  第１の分離部
２２ｂ  第２の分離部
２４、２４ａ、２４ｂ  切り込み部分
２５  繋がり部分
８１  第１折り曲げ部
８２  第２折り曲げ部
８３  第３折り曲げ部
９１  第１折曲線
９２  第２折曲線
９３  第３折曲線
【図１】
0003233538.tif 000005
【図２】
0003233538.tif 000006
【図３】
0003233538.tif 000007